(57)【特許請求の範囲】
【請求項１】
送信しようとする信号としての送信信号を変調する変調手段と、この変調手段で変調した送信信号およびこの送信信号を電力増幅する際の増幅レベルの指示を表わし前記変調手段と異なる変調方式で変調した電力増幅レベル指示信号とを多重して接続ケーブルに送出すると共にこの接続ケーブルを介して前記電力増幅後にアンテナに出力する送信信号のアンテナ出力レベルを表わし前記変調手段と異なる変調方式で変調したアンテナ出力レベル信号を入力する第１のハイブリッド手段と、この第１のハイブリッド手段の入力したアンテナ出力レベルを所定のフィルタを通過させることで検出する変調側検出手段と、この変調側検出手段の検出したアンテナ出力レベルを所定の制御基準値と比較して前記電力増幅レベル指示信号を作成する電力増幅レベル指示信号作成手段とを備えた変調装置と、
前記接続ケーブルを介して変調装置と接続され、前記第１のハイブリッド手段から送られてきた送信信号および電力増幅レベル指示信号を分配すると共に前記アンテナ出力レベルを前記接続ケーブルを介して前記第１のハイブリッド手段側に送出する第２のハイブリッド手段と、この第２のハイブリッド手段によって分配された電力増幅レベル指示信号を検出する電力増幅側検出手段と、前記第２のハイブリッド手段によって分配された送信信号をこの電力増幅側検出手段の検出した電力増幅レベル指示信号を基にして増幅率を調整して前記アンテナ出力レベルまで増幅して前記アンテナに出力する電力増幅手段と、この電力増幅手段の増幅後の前記アンテナ出力レベルを検出するレベル検出手段と、このレベル検出手段の検出したアンテナ出力レベルを表わした前記アンテナ出力レベル信号を前記第２のハイブリッド手段に供給するアンテナ出力レベル信号供給手段とを備えた送信電力増幅装置
とを具備することを特徴とする送信レベル制御装置。
【請求項２】
前記接続ケーブルは同軸ケーブルであることを特徴とする請求項１記載の送信レベル制御装置。
【請求項３】
前記電力増幅レベル指示信号およびアンテナ出力レベル信号はそれぞれ前記変調手段の変調方式とは異なるＡＳＫ変調方式で変調されて前記接続ケーブルを伝送されることを特徴とする請求項１記載の送信レベル制御装置。
【請求項４】
前記変調装置は、上位装置から送信レベルを通知する送信レベル通知信号を受信する送信レベル通知信号受信手段と、この送信レベル通知信号受信手段の受信した送信レベルを基にして送信レベルを変調装置内で自動制御すべき値の基準となる追い込み値を算出する追い込み値算出手段とを更に具備することを特徴とする請求項１記載の送信レベル制御装置。
【請求項５】
自動制御の開始時に、前記追い込み値算出手段の算出した追い込み値よりも低い値から追い込み値に段階的に収束するように送信レベルの制御を行う段階的制御手段を具備することを特徴とする請求項４記載の送信レベル制御装置。
【発明の詳細な説明】
【０００１】
【発明の属する技術分野】
本発明は無線基地局等の送信装置の送信レベルの制御を行う送信レベル制御装置に関する。
【０００２】
【従来の技術】
たとえばＷ−ＣＤＭＡ（Wideband-Code Division Multiple Access）基地局では、送信データを変調する変調装置を使用している。送信データに関しては、変調後の信号を電力増幅した後にアンテナから送出する。このような無線基地局あるいは送信装置は、隣接チャネルへの干渉を防ぐためにチャネルごとに送信レベルの制御を行っており、このために送信レベル制御装置を使用している。
【０００３】
このような送信レベル制御装置では、従来から変調装置側でのみ利得の調整を行い、変調した後の信号を送信のために増幅する電力増幅装置側では常に一定の増幅を行うものが一般的であった。ところが、変調装置と電力増幅装置を同軸ケーブルで接続しているようなシステムでは、特にこれらの間の同軸ケーブルの部分での信号レベルの損失がアンテナから送出する送信データの出力レベルを変動させることがあった。
【０００４】
同様に、変調装置側で一定レベルの信号を電力増幅装置側に送出しても、電力増幅装置の増幅率のバラツキがあるような場合には、アンテナに送出する送信データの出力レベルが変動することになった。このような問題を解消するためには、無線基地局あるいは送信装置の立ち上げ時や、変調装置あるいは電力増幅装置の交換を行う際に、作業者がマニュアルで調整を行う必要があった。したがって、作業が煩雑となったり、作業のためのコストがかかるという問題があった。
【０００５】
このような問題を解消するために、変調装置と電力増幅装置の双方でそれぞれ利得の調整を行うようにした送信レベル制御装置が提案されるに至っている。
【０００６】
図５は、従来のこのような送信レベル制御装置を備えた送信装置の要部を表わしたものである。送信装置１１は、変調器１２と送信器１３によって構成されている。変調器１２は第１の送信データ２１と第２の送信データ２２とをそれぞれ対応するＤ／Ａ変換器２３、２４に入力した後、それぞれのスイッチ（ＳＷ）２５、２６を介して第１の乗算器２７に入力する。第１の乗算器２７は、これら送信データ２１、２２を直交振幅変調する。第１の乗算器２７の変調出力２８は第１の増幅器２９に入力されて増幅される。第１の増幅器２９は利得可変型であり、その増幅後の変調出力信号３１をレベル検出回路３２に入力する。レベル検出回路３２の検出出力３３は第１の増幅器２９にフィードバックされるようになっており、これにより変調出力信号３１のレベルが一定に保たれる。
【０００７】
この変調出力信号３１は、送信器１３内の第２の乗算器４１に入力され、局部発振器４２から出力される局部発振信号と乗算（アップコンバート）され、その上側帯波が高周波数信号４４として出力される。この高周波数信号４４は第２の増幅器４５に入力される。第２の増幅器４５はこれを増幅して送信信号４６として出力する一方、この送信信号４６の一部をＡＬＣ制御（光量制御）回路４７に入力して、その制御出力４８を第２の増幅器４５の制御入力とする。このようなフィードバック制御により、送信信号４６のレベルが規定の値に調整される。
【０００８】
このように従来の送信レベル制御装置でも、変調器１２とこれに接続された送信器１３の双方に利得可変型の増幅器が備えられており、図示しないアンテナから送出する送信データの制御が行われるようになっていた。なお、この図５に示したような送信レベル制御装置は、たとえば特開２０００−０１３２５３号公報に開示されている。
【０００９】
また、特開平１１−２０５１６５号公報では、送信電力制御装置の送信電力の制御を、それぞれ独立して設けられた第１〜第３の利得調整手段を用いて順次増幅して調整する技術を開示している。
【００１０】
【発明が解決しようとする課題】
従来のこのような送信レベル制御装置では、これを構成する増幅器あるいは利得調整手段がそれぞれ独立して利得の調整を行っていた。このため、利得の調整に要する回路部品の数が多くなるだけでなく、変調装置あるいは電力増幅装置の交換を行ったときには、全体の利得を調整する作業が必要となった。以上、変調装置と電力増幅装置を備えた送信装置の送信レベル制御装置について説明したが、変調装置と電力増幅装置がパネルとして所定の筐体に装着されている場合にも同様の問題があった。
【００１１】
そこで本発明の目的は、変調装置と電力増幅装置の間で送信レベルの制御を一体化することのできる送信レベル制御装置を提供することにある。
【００１２】
【課題を解決するための手段】
請求項１記載の発明では、（イ）送信しようとする信号としての送信信号を変調する変調手段と、この変調手段で変調した送信信号およびこの送信信号を電力増幅する際の増幅レベルの指示を表わし前記した変調手段と異なる変調方式で変調した電力増幅レベル指示信号とを多重して接続ケーブルに送出すると共にこの接続ケーブルを介して電力増幅後にアンテナに出力する送信信号のアンテナ出力レベルを表わし前記した変調手段と異なる変調方式で変調したアンテナ出力レベル信号を入力する第１のハイブリッド手段と、この第１のハイブリッド手段の入力したアンテナ出力レベルを所定のフィルタを通過させることで検出する変調側検出手段と、この変調側検出手段の検出したアンテナ出力レベルを所定の制御基準値と比較して電力増幅レベル指示信号を作成する電力増幅レベル指示信号作成手段とを備えた変調装置と、（ロ）接続ケーブルを介して変調装置と接続され、第１のハイブリッド手段から送られてきた送信信号および電力増幅レベル指示信号を分配すると共にアンテナ出力レベルを接続ケーブルを介して第１のハイブリッド手段側に送出する第２のハイブリッド手段と、この第２のハイブリッド手段によって分配された電力増幅レベル指示信号を検出する電力増幅側検出手段と、第２のハイブリッド手段によって分配された送信信号をこの電力増幅側検出手段の検出した電力増幅レベル指示信号を基にして増幅率を調整してアンテナ出力レベルまで増幅してアンテナに出力する電力増幅手段と、この電力増幅手段の増幅後のアンテナ出力レベルを検出するレベル検出手段と、このレベル検出手段の検出したアンテナ出力レベルを表わしたアンテナ出力レベル信号を第２のハイブリッド手段に供給するアンテナ出力レベル信号供給手段とを備えた送信電力増幅装置とを送信レベル制御装置に具備させる。
【００１３】
すなわち請求項１記載の発明では、変調装置と送信レベル制御装置の双方で送信レベルの制御のための必要な情報を、送信信号を伝達する接続ケーブルを介して交換することにしている。具体的には変調装置側が電力増幅レベル指示信号を、送信信号を変調する変調手段と異なる変調方式で変調して送信電力増幅装置に送信して、送信電力増幅装置側における送信信号の電力増幅の増幅率を指示し、これによる実際のアンテナ出力レベルを送信電力増幅装置側で検出させて、前記した変調手段と異なる変調方式で変調しこれを変調装置側にフィードバックさせることにしている。これにより、同軸ケーブル等の接続ケーブル等によって変調後の送信信号の送信電力増幅装置側に入力するレベルが変動したり、装置の交換等による変動が生じても、常にアンテナ出力レベルを検出して精度の良い送信レベルの制御が可能になる。
【００１４】
請求項２記載の発明では、請求項１記載の送信レベル制御装置で、接続ケーブルは同軸ケーブルであることを特徴としている。
【００１５】
すなわち請求項２記載の発明では、従来、信号の減衰について問題を生じるおそれのあった同軸ケーブルを使用した場合についても、送信信号のレベル制御を精度良く行うことができる。
【００１６】
請求項３記載の発明では、請求項１記載の送信レベル制御装置で、電力増幅レベル指示信号およびアンテナ出力レベル信号はそれぞれ変調手段の変調方式とは異なるＡＳＫ変調方式で変調されて接続ケーブルを伝送されることを特徴としている。
【００１７】
すなわち請求項３記載の発明では、本来の信号と送信レベルの制御を行うための信号の変調方式を異ならせることで、同一の接続ケーブルを使用して信号の多重化を可能にしている。
【００２０】
請求項４記載の発明では、請求項１記載の送信レベル制御装置で、変調装置は、（イ）上位装置から送信レベルを通知する送信レベル通知信号を受信する送信レベル通知信号受信手段と、（ロ）この送信レベル通知信号受信手段の受信した送信レベルを基にして送信レベルを変調装置内で自動制御すべき値の基準となる追い込み値を算出する追い込み値算出手段とを更に具備することを特徴としている。
【００２１】
すなわち請求項４記載の発明では、変調装置が上位装置から送信レベルの通知を受ける場合を取り扱っている。この場合には、通知された送信レベルを基にして変調装置内で自動制御すべき値の基準となる追い込み値を算出して、これを用いて、あるいはこれを基準として設定した値を用いて送信レベルの制御を行うことにしている。
【００２２】
請求項５記載の発明では、請求項４記載の送信レベル制御装置で、自動制御の開始時に、追い込み値算出手段の算出した追い込み値よりも低い値から追い込み値に段階的に収束するように送信レベルの制御を行う段階的制御手段を具備することを特徴としている。
【００２３】
すなわち請求項５記載の発明では、アンテナから送信信号の出力を開始する時点に追い込み値にいきなり出力を上げるのではなく、段階的に出力を上げることにして、変調装置と送信電力増幅装置の連携による送信レベルの制御を円滑に行うことを可能にしている。
【００２４】
【発明の実施の形態】
【００２５】
【実施例】
以下実施例につき本発明を詳細に説明する。
【００２６】
図１は本発明の一実施例における送信レベル制御装置を備えたＷ−ＣＤＭＡ基地局の要部を表わしたものである。Ｗ−ＣＤＭＡ基地局１００は、その送信装置の一部としてシンボルデータの拡散および変復調を行う変復調パネル１０１と、変調された信号の電力増幅を行う送信電力増幅パネル１０２を備えている。変復調パネル１０１と送信電力増幅パネル１０２の間は、同軸ケーブル１０４で接続されている。また、送信電力増幅パネル１０２の出力側は送信用のアンテナ１０５に接続されている。
【００２７】
変復調パネル１０１は、送信のためのコーディングされたシンボルデータ１１１を図示しない前段の回路からその拡散回路１１２に入力するようになっている。また、同じく図示しない上位装置から送られてくる送信レベルを通知する送信レベル通知信号１１３と、送信キャリアのオン・オフを通知する送信キャリアオン・オフ通知信号１１４とは、変復調パネル１０１内で各種の制御を行う変復調側ＣＰＵ（中央処理装置）１１５に入力されるようになっている。この変復調側ＣＰＵ１１５は、過入力があったときに警報を発するための過入力アラーム通知信号１１６を図示しない回路部分に出力するようになっている。
【００２８】
変復調パネル１０１内の拡散回路１１２は、コーディングされたシンボルデータ１１１をチャネライゼーション拡散およびスクランブル拡散処理を行うと共に、ユーザ多重とユーザ多重後の拡散多重された総振幅値１１８を変復調側ＣＰＵ１１５に通知するようになっている。拡散回路１１２によって拡散された拡散信号１１９は変調回路１２１に入力される。変調回路１２１は、この拡散信号をＱＰＳＫ（Quadrature Phase Shift Keying）変調する。変調された変調信号１２２はＤ／Ａ変換コンバータ１２３に入力され、ディジタル信号からアナログ信号への変換が行われる。Ｄ／Ａ変換コンバータ１２３から出力されるＩＦ（Intermediate Frequency）信号１２４は、ミキサ回路１２５に入力される。ミキサ回路１２５は、局部発振器１２７からＩＦ信号１２４をアップコンバートするためのローカル信号１２６を入力するようになっている。局部発振器１２７は、変復調側ＣＰＵ１１５の監視の下でその周波数を制御するＰＬＬ（Phase-Locked Loop）ＩＣ（Integrated Circuit）１２８に接続されている。
【００２９】
ミキサ回路１２５から出力されるＲＦ（Radio Frequency）信号１３１は、そのキャリアのオン・オフ制御を行うキャリアオン・オフ回路１３２に供給されるようになっている。キャリアオン・オフ回路１３２は、変復調側ＣＰＵ１１５から供給されるオン・オフ制御信号１３３によってそのオン・オフ制御を行うようになっている。キャリアオン・オフ回路１３２の出力側には、その出力信号１３４の中からＲＦ信号帯域の信号のみを通過させるための第１のバンドパスフィルタ１３５が配置されている。第１のバンドパスフィルタ１３５を通過したＲＦ信号１３６は第１のハイブリッド回路１３７に入力される。第１のハイブリッド回路１３７には、ＡＳＫ（Amplitude Shift Keying）変調回路１３８から出力されるＡＳＫ変調されたＣＰＵ間レベル制御信号１３９を第２のバンドパスフィルタ１４１を通過させた後のＣＰＵ間レベル制御信号１４２も入力されるようになっている。ここで、第２のバンドパスフィルタ１４１は、ＡＳＫ変調帯域のみを通過させるためのフィルタである。また、第１のＡＳＫ変調回路１３８は、第１のＡＳＫ変調用局部発振器１４３から入力される発振出力１４５を用いて、変復調側ＣＰＵ１１５から第１のＡＳＫ変調回路１３８に供給されるＣＰＵ間レベル制御コマンド信号１４７をＡＳＫ変調するようになっている。
【００３０】
第１のハイブリッド回路１３７は、ＲＦ信号１３６とＣＰＵ間レベル制御信号１４２ならびに同軸ケーブル１０４を介して送信電力増幅パネル１０２側の第２のＡＳＫ変調回路１５１によってＡＳＫ変調されたＣＰＵ間検出レベル信号１５２とを多重合成する。そして、この送信電力増幅パネル１０２側のＣＰＵ間検出レベル信号１５２については第１の変復調側検出回路１４４によって検出を行い、その結果を、検出されたＣＰＵ間検出レベル信号１４６として変復調側ＣＰＵ１１５に与えるようになっている。
【００３１】
一方、送信電力増幅パネル１０２側では、変復調パネル１０１から出力されたＲＦ信号１３６を同軸ケーブル１０４を介して第２のハイブリッド回路１５３に入力する。第２のハイブリッド回路１５３は、更にＡＳＫ変調されたＣＰＵ間検出レベル信号１５２を第３のバンドパスフィルタ１５４を介して入力し、後者のＣＰＵ間検出レベル信号１５２を同軸ケーブル１０４に分配している。ここで第３のバンドパスフィルタ１５４は、入力したＣＰＵ間検出レベル信号１５２をＡＳＫ変調帯域のみ通過させるためのフィルタである。第２のＡＳＫ変調用局部発振器１５５はその発振出力１５６を第２のＡＳＫ変調回路１５１に入力し、送信電力増幅側ＣＰＵ１５７から第２のＡＳＫ変調回路１５１に供給されるＣＰＵ間検出レベル信号１５８をＡＳＫ変調するのに使用される。
【００３２】
なお、送信電力増幅パネル１０２側には第２の変復調側検出回路１５９が設けられており、同軸ケーブル１０４を介して変復調パネル１０１側から送られてくるＡＳＫ変調されたＣＰＵ間レベル制御信号１３９を検出するようになっている。この検出されたＣＰＵ間レベル制御信号１６１は送信電力増幅側ＣＰＵ１５７に入力されるようになっている。
【００３３】
ところで、第２のハイブリッド回路１５３の出力側にはＲＦ信号帯域のみを通過させる第４のバンドパスフィルタ１６２が設けられている。したがって、変復調パネル１０１から出力されたＲＦ信号１３６は第４のバンドパスフィルタ１６２を通過し、その出力１６３は増幅器１６４に入力されて増幅されるようになっている。増幅後のＲＦ信号１６５は、自動利得制御（ＡＧＣ：Automatic Gain Control）増幅器１６７に入力される。自動利得制御増幅器１６７は、送信電力増幅側ＣＰＵ１５７から出力されるＤ／Ａフォーマットに変換されたレベル制御信号１６８をＤ／Ａ変換回路１６９によって変換した後のレベル制御信号１７１によってその増幅率を制御するようになっている。
【００３４】
自動利得制御増幅器１６７によってレベル変更が行われたＲＦ信号１７２は、増幅器１７３によって更に増幅された後、送信出力１７４としてアンテナ１０５に供給される。この送信出力１７４は、またレベル検出回路１７５にも入力され、送信出力のレベルが検出されるようになっている。検出されたレベル信号１７６は、増幅器１７７に入力され、電圧増幅されてその出力１７８がＡ／Ｄ変換器１７９によってディジタル信号に変換される。このようにしてＡ／Ｄ変換された検出レベル信号１８１は送信電力増幅側ＣＰＵ１５７に入力され、ＣＰＵ間検出レベル信号１５８が作成されるようになっている。
【００３５】
このようなＷ−ＣＤＭＡ基地局の変復調パネル１０１および送信電力増幅パネル１０２における送信レベルの制御を次に具体的に説明する。
【００３６】
図２は変復調側ＣＰＵが送信レベル通知信号を入力したときの処理の流れを表わしたものである。変復調パネル１０１内の変復調側ＣＰＵ１１５は、図示しない記憶媒体に格納された制御プログラムを実行することで次に説明する処理ならびにその他の処理を行うようになっている。
【００３７】
すなわち、変復調側ＣＰＵ１１５は上位装置から送信レベルを通知する送信レベル通知信号１１３が送られてくるのを待機している（ステップＳ２０１）。そして、送信レベル通知信号１１３が送られてくると（Ｙ）、変復調側ＣＰＵ１１５は送信レベルを自動制御すべき値としての追い込み値を計算する（ステップＳ２０２）。また、計算した追い込み値からプラス方向とマイナス方向に所定の範囲を決定し、この範囲内では送信レベルを制御するための送信レベル制御コマンドを出力しないようにする。ただし、このプラス方向とマイナス方向のいずれか一方あるいは双方は“０”であってもよい。
【００３８】
一方、図３は、変復調側ＣＰＵが送信キャリアオン・オフ通知信号を受け取るときの制御の前半の様子を表わしたものである。変復調側ＣＰＵ１１５は送信キャリアオン・オフ通知信号１１４のキャリアオンするためのオン通知の受信を待機しており（ステップＳ２１１）、これを受信すると（Ｙ）、オン・オフ制御信号１３３によってキャリアオン・オフ回路１３２をオンにする（ステップＳ２１２）。そして、図２のステップＳ２０２で計算した追い込み値よりも一定の低いレベルでアンテナ１０５から送信が行われるようにＣＰＵ間レベル制御コマンド信号１４７を出力する（ステップＳ２１３）。このＣＰＵ間レベル制御コマンド信号１４７は、その後、追い込み値に到達しない段階では（ステップＳ２１４：Ｎ）、追い込み値に収束するように一定間隔を置いて順次出力される（ステップＳ２１５）。そして、追い込み値に到達したら（ステップＳ２１４：Ｙ）、送信レベルを自動的に調整する自動送信レベル制御を開始することになる（ステップＳ２１６）。これを次に説明する。
【００３９】
変復調側ＣＰＵ１１５は、まず第１の変復調側検出回路１４４によって検出されたＣＰＵ間検出レベル信号１４６を参照して、追い込み値との差を計算する。次に、この計算によって得られた差分にあるゲイン係数を掛けて制御すべきレベルを算出する。ここで、あるゲイン係数とは、送信レベルを上げる方向に制御する場合には小さく、送信レベルを下げる方向に制御するときには大きくする等の各種設定を行うことが可能である。
【００４０】
変復調側ＣＰＵ１１５は拡散回路１１２から通知される拡散多重された総振幅値１１８を監視し、最大送信レベル以上の振幅値が入力された場合でもアンテナ１０５から出力されるレベルが最大送信レベルを超えないように制御する。このため、このような場合には図示しない上位装置に対して過入力であることを通知するアラーム通知信号１１６を出力して、過入力が生じないようにする。
【００４１】
変復調側ＣＰＵ１１５の出力するＣＰＵ間レベル制御コマンド信号１４７は第１のＡＳＫ変調回路１３８に入力され、ＡＳＫ変調されたＣＰＵ間レベル制御信号１３９となって、第２のバンドパスフィルタ１４１を通過し、第１のハイブリッド回路１３７に入力される。第１のハイブリッド回路１３７ではＲＦ信号１３６と多重され、同軸ケーブル１０４によって送信電力増幅パネル１０２に伝達される。
【００４２】
送信電力増幅パネル１０２内の第２のハイブリッド回路１５３は送信されてきたＲＦ信号１３６とＣＰＵ間レベル制御信号１３９とを分配する。ＲＦ信号１３６の方はＲＦ信号帯域のみを通過させる第４のバンドパスフィルタ１６２を通過し増幅器１６４に入力する。ＣＰＵ間レベル制御信号１３９の方は、ＡＳＫ変調帯域のみ通過させる第３のバンドパスフィルタ１５４を通過して第２の変復調側検出回路１５９で検出される。第２の変復調側検出回路１５９は、検出されたＣＰＵ間レベル制御信号１６１を送信電力増幅側ＣＰＵ１５７に入力する。
【００４３】
送信電力増幅側ＣＰＵ１５７は、変復調パネル１０１側から送られて来たこのＣＰＵ間レベル制御信号１６１を基にしてＤ／Ａフォーマットに変換されたレベル制御信号１６８を出力し、これをＤ／Ａ変換回路１６９によってディジタル・アナログ変換してレベル制御信号１７１として自動利得制御増幅器１６７の制御入力としてゲインの変更に使用する。自動利得制御増幅器１６７によって送信レベルが制御されたＲＦ信号１７２は、増幅器１７３によって更に増幅された後、アンテナ１０５に出力される。
【００４４】
このアンテナ１０５に出力されたＲＦ信号の出力レベルは、レベル検出回路１７５で検出される。検出結果としてのレベル信号１７６は、Ａ／Ｄ変換器１７９によってディジタル信号に変換され、送信電力増幅側ＣＰＵ１５７に入力される。送信電力増幅側ＣＰＵ１５７はこの検出レベル信号１８１を変換してＣＰＵ間検出レベル信号１５８を出力する。ＣＰＵ間検出レベル信号１５８は第２のＡＳＫ変調回路１５１によってＡＳＫ変調され、ＡＳＫ変調されたＣＰＵ間検出レベル信号１５２となって、ＡＳＫ変調帯域のみ通過させる第３のバンドパスフィルタ１５４を通過して第２のハイブリッド回路１５３で多重される。そして、同軸ケーブル１０４を通過して変復調パネル１０１側に伝搬される。
【００４５】
変復調パネル１０１側に伝搬された、ＡＳＫ変調されたＣＰＵ間検出レベル信号１５２は、ＡＳＫ変調帯域のみを通過させる第２のバンドパスフィルタ１４１を通過して、第１の変復調側検出回路１４４に検出される。そしてＣＰＵ間検出レベル信号１４６となって変復調側ＣＰＵ１１５に入力される。変復調側ＣＰＵ１１５は、前記したように入力されたＣＰＵ間検出レベル信号１４６と追い込み値との差を比較し、制御することで自動送信レベル制御を実現することになる。
【００４６】
ステップＳ２１６の自動送信レベル制御を行っている以上説明した状態で、このＷ−ＣＤＭＡ基地局でキャリアオフする場合を図３および図４を用いて説明する。変復調側ＣＰＵ１１５は送信キャリアオン・オフ通知信号１１４のオフ通知があるかどうかを待機している（図３ステップＳ２１７）。そして、キャリアオフするためのオフ通知があると（Ｙ）、現在のＣＰＵ間検出レベル信号１４６のレベルよりも僅かに低いレベルで送信されるようにＣＰＵ間レベル制御コマンド信号１４７を出力する（図４ステップＳ２１８）。そして、追い込み値に到達しない段階では（ステップＳ２１９：Ｎ）、追い込み値に収束するように一定間隔を置いてレベルを低下させる（ステップＳ２２０）。そして、追い込み値に到達したら（ステップＳ２１９：Ｙ）、キャリアオン・オフ回路１３２をオフにすることで、キャリアのオフを実行することになる（ステップＳ２２１）。
【００４７】
以上説明した実施例ではＷ−ＣＤＭＡ基地局１００を例に挙げて説明を行ったが、変復調パネル１０１あるいは変復調装置と、変調された信号の電力増幅を行う送信電力増幅パネル１０２あるいは送信電力増幅装置を備えた他の送信装置の送信レベルの制御を行う送信レベル制御装置に本発明を同様に適用することができることは当然である。
【００４８】
【発明の効果】
以上説明したように請求項１記載の発明によれば、変調装置側が電力増幅レベル指示信号を送信電力増幅装置に送信して、送信電力増幅装置側における送信信号の電力増幅の増幅率を指示し、これによる実際のアンテナ出力レベルを送信電力増幅装置側で検出させて、これを変調装置側にフィードバックさせることにしている。このため、同軸ケーブル等の接続ケーブル等によって変調後の送信信号の送信電力増幅装置側に入力するレベルが変動したり、接続ケーブルのロスが変動したり、装置あるいはパネルの交換によってゲインが異なるような事態が発生しても、アンテナ出力レベルを用いて精度の良い送信レベルの制御が可能になる。したがって、たとえば基地局に本発明を適用したような場合には、基地局の立ち上げ時や変復調用のパネルの交換時にわずらわしい作業を行う必要がない。また、同一の接続ケーブルを介して送信信号と送信レベルを制御するための信号とを伝送することにしたので、制御のために特別の伝送路を設ける必要がない。
【００４９】
また、請求項３記載の発明によれば、変復調装置と電力増幅装置の間でＣＰＵインタフェースを持たないシステムで、自動送信制御を行うための変復調装置と電力増幅装置の間で制御用の信号あるいはコマンドをＡＳＫ変調方式で変調し、これを送信信号を伝送する接続ケーブルに多重するので、制御のために新たに装置間のインタフェースを増加させる必要がない。
【００５１】
また請求項５記載の発明によれば、アンテナから送信信号の出力を開始する時点に追い込み値にいきなり出力を上げるのではなく、段階的に出力を上げることにして、変調装置と送信電力増幅装置の連携による送信レベルの制御を円滑に行うことができる。また、何段階かに分けて追い込み値に到達するように制御することで、本発明を基地局に適用する場合には、近傍のセルで通信中の信号に与える影響を少なくすることができる。更にキャリアをオフする場合にも段階的な制御を行うようにすれば、通信中の信号を他のセルに逃がすことができるという効果も生じる。
【図面の簡単な説明】
【図１】本発明の一実施例における送信レベル制御装置を備えたＷ−ＣＤＭＡ基地局の要部を表わしたブロック図である。
【図２】本実施例で変復調側ＣＰＵが送信レベル通知信号を入力したときの処理の流れを表わした流れ図である。
【図３】本実施例で変復調側ＣＰＵが送信キャリアオン・オフ通知信号を受け取るときの制御の前半の様子を表わした流れ図である。
【図４】図３に示した制御の後半の様子を表わした流れ図である。
【図５】従来の送信レベル制御装置を備えた送信装置の要部を表わしたブロック図である。
【符号の説明】
１００  Ｗ−ＣＤＭＡ基地局（送信装置）
１０１  変復調パネル（変復調装置）
１０２  電力増幅パネル（電力増幅装置）
１０４  同軸ケーブル
１０５  アンテナ
１１１  シンボルデータ
１１５  変復調側ＣＰＵ
１３２  キャリアオン・オフ回路
１３７  第１のハイブリッド回路
１３８  第１のＡＳＫ変調回路
１３９、１６１  ＣＰＵ間レベル制御信号
１４４  第１の変復調側検出回路
１４６、１５８  ＣＰＵ間検出レベル信号
１５１  第２のＡＳＫ変調回路
１５３  第２のハイブリッド回路
１５７  送信電力増幅側ＣＰＵ
１５９  第２の変復調側検出回路
１６７  自動利得制御増幅器
１６８  レベル制御信号
１７５  レベル検出回路
１８１  検出レベル信号
【図１】
0003951046.tif 000002
【図２】
0003951046.tif 000003
【図３】
0003951046.tif 000004
【図４】
0003951046.tif 000005
【図５】
0003951046.tif 000006